(57)【要約】【課題】給油時の空気溜まりを防止できるとともに、車体が大きく傾斜した場合の作動油漏れを確実に防止できる車両用リザーバ装置を提供する。【解決手段】タンク本体７の内部に貯留した作動油をマスタシリンダに供給する車両用リザーバ装置６において、上記タンク本体７の天井壁７ａのタンク中心ｂから偏位した位置に給油口７ｂが形成されており、上記天井壁７ａは、上記給油口７ｂ内に少なくともその一部が重なるように設定された頂上部ｃを有する四角錐状に形成され、上記天井壁７ａの内面の上記給油口７ｂの外周の上記偏位の方向と反対側に上記頂上部ｃを囲み、かつ少なくともその一端が開放された縦リブ７ｍが形成されており、該縦リブ７ｍの開放端７ｎは上記頂上部ｃ近傍に位置している。【選択図】      図３
2006103448.tif 000002
【特許請求の範囲】
【請求項１】
タンク本体の内部に貯留した作動液をマスタシリンダに供給する車両用リザーバ装置において、上記タンク本体の天井壁のタンク中心から偏位した位置に上記作動液の給液口が形成されており、上記天井壁は、上記給液口内に少なくともその一部が重なるように設定された頂上部を有する錐形状に形成され、上記天井壁の内面の上記給液口の外周の上記偏位の方向と反対側に上記頂上部を所定範囲だけ囲み、かつ少なくともその一端がタンク内部に対して開放された縦リブが形成されており、該縦リブの開放端は上記頂上部近傍に位置していることを特徴とする車両用リザーバ装置。
【請求項２】
上記縦リブにより囲まれる所定範囲は、少なくとも半周であることを特徴とする請求項１に記載の車両用リザーバ装置。
【請求項３】
上記縦リブの他端は、上記タンク本体を構成する内周壁から延伸して形成されていることを特徴とする請求項１に記載の車両用リザーバ装置。
【請求項４】
上記タンク本体は、高さ方向に比べて長さ方向，幅方向が大きく設定されていることを特徴とする請求項１に記載の車両用リザーバ装置。
【発明の詳細な説明】
【技術分野】
【０００１】
本発明は、タンク本体の内部に貯留した作動液をマスタシリンダに供給するようにした車両用リザーバ装置に関する。
【背景技術】
【０００２】
例えば、自動車のブレーキ装置は、リザーバ装置の作動油が充填されたタンク本体をブレーキペダルの踏み込み量に応じた油圧を発生させるマスタシリンダに連通接続し、上記発生した油圧を車輪の制動装置に供給するように構成されている。
【０００３】
このようなリザーバ装置では、作動油の容量を確保し、かつ狭い車体において配置スペースを確保する観点から、タンク本体の高さ寸法をできるだけ小さくし、その分車両幅方向寸法及び前後方向寸法を大きくするとともに、給油口をタンク本体の中心より偏位した位置に形成する場合がある。
【０００４】
ところで、上記リザーバ装置は、走行中の振動や加減速時の衝撃によって給油口から作動油が洩れるのを防止する観点から、給油口の近傍に作動油の流出を遮断する隔壁を設けたり、あるいはタンク本体内に注油口側に流れる作動油を規制するラビリンス構造の隔壁を設けたりするようにしている（例えば、特許文献１，２参照）。
【特許文献１】特開２００４−７５００３号公報
【特許文献２】特開平１１−３０１４５２号公報
【発明の開示】
【発明が解決しようとする課題】
【０００５】
しかしながら、上記従来公報によるリザーバ装置では、何れも給油時にタンク本体内に空気が溜まり易く、しかも車両運搬車により車体を傾けた状態で搬送する際に、作動油が給油口の空気抜け孔から漏れ出るという懸念がある。またラビリンス構造を採用した場合には、タンク本体の構造が複雑となるという問題がある。
【０００６】
本発明は、上記実情に鑑みてなされたもので、簡単な構造で給油時に空気が溜まるのを防止できるとともに、車体を大きく傾斜させた場合の作動油の漏れを防止できる車両用リザーバ装置を提供することを目的としている。
【課題を解決するための手段】
【０００７】
請求項１の発明は、タンク本体の内部に貯留した作動液をマスタシリンダに供給する車両用リザーバ装置において、上記タンク本体の天井壁のタンク中心から偏位した位置に上記作動液の給液口が形成されており、上記天井壁は、上記給液口内に少なくともその一部が重なるように設定された頂上部を有する錐形状に形成され、上記天井壁の内面の上記給液口の外周の上記偏位の方向と反対側に上記頂上部を所定範囲だけ囲み、かつ少なくともその一端がタンク内部に対して開放された縦リブが形成されており、該縦リブの開放端は上記頂上部近傍に位置していることを特徴としている。
【０００８】
請求項２の発明は、請求項１において、上記縦リブにより囲まれる所定範囲は、少なくとも半周であることを特徴としている。
【０００９】
請求項３の発明は、請求項１において、上記縦リブの他端は、上記タンク本体を構成する内周壁から延伸して形成されていることを特徴としている。
【００１０】
請求項４の発明は、請求項１において、上記タンク本体は、高さ方向に比べて長さ方向，幅方向が大きく設定されていることを特徴としている。
【発明の効果】
【００１１】
本発明に係るリザーバ装置によれば、タンク本体の天井壁を給液口内に設定された頂上部に近くなるほど高くなる錐形状をなすように形成したので、給液時には、内部の空気は天井壁の内面を頂上部に向かって上昇し、給液口を通って外部に排出され、タンク本体内に空気が溜まるのを防止できる。これにより、作動液の必要容量を確保しつつタンク本体を小さくすることができ、狭い車体に配置する際の配置スペースを容易に確保できる。即ち、従来構造では、タンク本体の容量を空気溜まり分を見込んだ容量とする必要があり、それだけタンク本体が大型化するという問題があったが本発明ではこの問題を解決できる。
【００１２】
本発明では、上記頂上部の上記給液口の偏位方向と反対側を縦リブで囲んでいるので、タンク本体を傾けても給液口から空気がタンク本体の上記偏位と反対側の部分に進入するのを抑制でき、従ってタンク中心部側の作動液が給液口側に流れるのを抑制することができる。これにより、例えば運搬車により車体を前部が上方に位置するよう大きく傾けて積載して搬送する場合に、給液口から作動液が漏れ出るのを防止できる。また走行中の加減速等によって車体が急激な挙動変化した場合にも作動油の液面が大きく変動することはなく、液面検出器の誤作動を防止でき、液面レベルの検出精度を高めることができる。
【００１３】
なお、上記縦リブの少なくとも一端は開放されており、かつ該開放端は頂上部近傍に位置しているので、上記給液時には内部の空気は上記縦リブの開放端から頂上部を経て給液口から排出されることとなり, 上記給液時の空気の排出に上記縦リブが支障をきたすといったことはない。
【発明を実施するための最良の形態】
【００１４】
以下、本発明の実施の形態を添付図面に基づいて説明する。
【００１５】
図１ないし図６は、本発明の一実施形態による車両用リザーバ装置を説明するための図であり、図１はリザーバ装置を備えたブレーキ装置の側面図、図２はリザーバ装置の断面側面図、図３はリザーバ装置の斜視図、図４，図５，図６はそれぞれリザーバ装置の一部断面背面図（図５のIV-IV 線断面図) ，平面図，一部断面側面図（図５のVI-VI 線断面図) である。
【００１６】
図において、１は自動車のブレーキ装置を示しており、これは運転席前方に配設されたインストルメントパネル２内の車幅方向右端部に配設されている。なお、２ａはスピードメータ等が配設されたメータクラスタである。
【００１７】
上記ブレーキ装置１は、マスタシリンダ３と、該マスタシリンダ３の車両前側に接続固定されたブレーキブースタ４と、上記マスタシリンダ３内に移動可能に挿入配置された不図示のピストンに上記ブレーキブースタ４を介して連結されたプッシュロッド５と、該プッシュロッド５に連結された不図示のブレーキペダルと、上記マスタシリンダ３に作動油を供給するリザーバ装置６とを有している。上記ブレーキブースタ４にはエンジンの吸気系に連通接続される吸気口４ａが形成されている。
【００１８】
上記ブレーキ装置１は、ブレーキペダルを踏み込むと、該踏み込み力とブレーキブースタ４の補助力でもってプッシュロッド５がマスタシリンダ３内のピストンを移動させ、これにより発生した油圧を不図示のブレーキ配管を介して各車輪の制動装置に供給するように構成されている。
【００１９】
上記リザーバ装置６は、インストルメントパネル２の上壁２ｂ近傍に配置されており、該上壁２ｂのリザーバ装置６に臨む部分には不図示の蓋部材により開閉される開口が形成されている。
【００２０】
上記リザーバ装置６は、作動油が充填されたタンク本体７の天井壁７ａに円筒状の給油口７ｂを一体に接続形成するとともに、底壁７ｃに一対の作動油供給口７ｄ，７ｄを形成した構造のものであり、この各供給口７ｄは供給ホース８，８を介して上記マスタシリンダ３に接続されている。
【００２１】
上記タンク本体７は、上下に分割された下側タンク部７ｅと上側タンク部７ｆとを油密に接合して形成されたものであり、天井壁７ａ及び後縦壁７ｇに形成された各固定部７ｈ，７ｉを介して車体（不図示）に取付け固定されている。この車体搭載状態では、タンク本体７が水平をなすように取付けられている。
【００２２】
上記タンク本体７内の底壁７ｃには上方に開口するフロート室７ｊが形成され、該フロート室７ｊ内には作動油の液面レベルを検出するフロート９が配設されている。またフロート室７ｊの下部にはリードスイッチ１０を収納するスイッチ室７ｋが形成され、該リードスイッチ１０には外部に導出されたリード線１１が接続されている。作動油の液面がＭＩＮ位置に達するとフロート９がリードスイッチ１０を作動させ、これにより上記メータクラスタ２ａに配設された警告灯（不図示）が点灯する。
【００２３】
上記給油口７ｂ内には作動油を濾過するフィルタ１３が挿入配置されている。また給油口７ｂにはカバーキャップ１５が着脱可能に嵌装されている。このカバーキャップ１５内にはボディキャップ１６及びプレートキャップ１７が装着されており、該ボディキャップ１５には上記給油口７ｂの上端開口７ｂ′をシールするシール部材１８が装着されている。
【００２４】
上記ボディキャップ１６にはタンク本体７内の空気を外部に排出する空気抜き孔１６ａが形成されている。また上記給油口７ｂの外周部には受け皿１９が装着されている。
【００２５】
上記タンク本体７は、高さ方向寸法に比べて前後 (長さ）方向寸法及び左右（車幅）方向寸法が大きく設定されており、具体的には高さ寸法に対して前後寸法及び幅寸法が２〜３倍程度となっている。
【００２６】
図５に示すように、上記給油口７ｂは、平面から見て、タンク本体７の対角線ａ，ａの交点であるタンク中心ｂから車両後側かつ車両幅方向中心側に偏位した位置、つまりタンク本体７の車両後内側コーナ部に形成されている。
【００２７】
上記タンク本体７の天井壁７ａは、給油口７ｂ内の車外側縁部近傍に設定された頂上部ｃに近くなるほど高所となるように概ね四角錐形状に形成されている。この頂上部ｃはタンク本体７のタンク中心ｂの後方に、かつ給油口７ｂ内に重なるように設定され、これにより天井壁７ａは頂上部ｃが最も高い位置となるように前後、左右方向に傾斜している。
【００２８】
またタンク本体７内の天井壁７ａの内面には、上記給油開口７ｂのタンク中心ｂ側、即ち上記偏位の方向と反対側を略半周程度囲むように延びるＪ字形状の縦リブ７ｍが一体形成されている。この縦リブ７ｍは、タンク本体７の内側壁７ｐから車幅方向に延びた後、給油口７ｂに沿って円弧状に延びている。上記縦リブ７ｍの内端は内側壁７ｐに一体形成され、外端は開放されている。この開放された開放端７ｎは頂上部ｃの直近に位置している。
【００２９】
本実施形態によれば、タンク本体７の天井壁７ａを給油口７ｂ内に設定された頂上部ｃに近くなるほど高くなる四角錐状に形成したので、給油時にはタンク本体７内の空気は天井壁７ａの内面を頂上部ｃに向かって上昇し、給油口７ｂを通って外部に排出されることから、タンク本体７内に空気が溜まるのを防止できる。なお、縦リブ７ｍの図５左側の空気は同図に矢印ｄで示すように、該縦リブ７ｍに沿って頂上部ｃに向って流れることとなり、該縦リブ７ｍが空気排出の支障になることはない。このようにして、作動油の必要容量を確保しつつタンク本体７を小型化することができ、狭いインストルメントパネル１内に配置する際の配置スペースを容易に確保できる。タンク本体の容量を空気溜まり分を見込んだ容量とした場合には、それだけタンク本体が大型化するという問題があるが本実施形態ではこの問題を回避できる。
【００３０】
本実施形態では、上記タンク本体７の天井壁７ａ内に、給油口７ｂの中心部側を概ね半周程度囲むように延びる縦リブ７ｍを一体形成し、該縦リブ７ｍの開放端７ｎを頂上部ｃに位置させたので、例えば、図６に二点鎖線で示すように、作動油漏れが最も生じ易い状態にタンク本体７を傾けても、具体的には、例えば車両運搬車により車体を上記給油口７ｂ側が低くなるように大きく傾けて搬送する場合にも、給油口７ｂから作動油が漏れ出るのを防止できる。
【００３１】
この点をより詳細に説明すれば、給油口７ｂ内に進入した空気がタンク中心ｂ側に流入するとその分、内部の作動油が流出するのであるが、上記進入した空気は上記縦リブ７ｍによって上記タンク中心ｂ側への流入が阻止され、従って作動油の漏出を回避できる。
【００３２】
また走行中の加減速等によって車体が急激な挙動変化した場合にも作動油の液面が大きく変動することはなく、フロート９による液面レベルの検出精度を高めることができる。
【００３３】
なお、上記実施形態では、本発明を、自動車に配設されたブレーキ装置のリザーバ装置に適用した場合を例にとって説明したが、本発明は、例えばクラッチ装置，あるいはパワーステアリング装置のリザーバ装置にも適用可能であり、この場合にも上記実施形態と同様の効果が得られる。
【００３４】
また上記実施形態では、縦リブを給油口に略沿うＪ字形状としたが、例えば、給油口の略半周を囲むＶ字状，あるいはＵ字状の縦リブを形成し、該縦リブの両端を開放させてもよい。さらに天井壁については、四角錐形状に限られるものではなく、円錐，あるいは三角錐，四角錐以上の多角錐としてもよい。
【図面の簡単な説明】
【００３５】
【図１】本発明の一実施形態による車両用リザーバ装置を備えたブレーキ装置の側面図である。
【図２】上記リザーバ装置の断面側面図である。
【図３】上記リザーバ装置の斜視図である。
【図４】上記リザーバ装置の一部断面背面図（図５のIV-IV 線断面図）である。
【図５】上記リザーバ装置の平面図である。
【図６】上記リザーバ装置の一部断面側面図（図５のVI-VI 線断面図）である。
【符号の説明】
【００３６】
６        リザーバ装置
７        タンク本体
７ａ      天井壁
７ｂ      給油口
７ｍ      縦リブ
７ｎ      開放端
ｂ        タンク中心
ｃ        頂上部
【図１】
2006103448.tif 000003
【図２】
2006103448.tif 000004
【図３】
2006103448.tif 000005
【図４】
2006103448.tif 000006
【図５】
2006103448.tif 000007
【図６】
2006103448.tif 000008